(57)【特許請求の範囲】
【請求項１】
容器内の水中所定高さ位置に離間して配置される２個の検出端子（81）（82）からなるセンサー部（８）と、
該センサー部（８）の一方の検出端子（81）から交流電源の少なくとも一方の電源ライン（1a）（1b）に至る回路中にトランス（72）の一次コイル（72a ）が介挿されるとともに、該一次コイルの磁束変化に対応してトランスの二次コイル（72b ）に漏電検知信号としての電圧が誘起される漏電検知手段（７）と、
基準信号発生手段（10）と、
該基準信号発生手段（10）から出力される基準信号が、前記センサー部（８）の一方の検出端子（82）から他方の検出端子（81）を巡って帰還したか否かを検知することにより両検出端子間が通電状態にあるか否かを検出し、両検出端子間が通電状態にないときに水の不存在信号を出力する水位検知手段（11）と、
前記漏電検知手段（７）または水位検知手段（11）から、漏電検知信号または水不存在信号が出力されたときに、電源から電装品への給電を遮断する回路遮断手段（５）とを備えていることを特徴とする観賞魚用水槽等の安全装置。
【請求項２】
水温検出手段（110 ）と、検出した水温と設定水温とを比較する比較手段（150 ）と、水加熱手段（120 ）と、前記比較手段（150 ）による検出水温と設定水温との比較により、検出水温が設定水温よりも低い場合には前記水加熱手段（120 ）を駆動する制御手段（160 ）とからなる水温制御装置がさらに設けられている請求項１に記載の観賞魚用水槽等の安全装置。
【請求項３】
水温検出手段（110 ）がセンサー部（８）と一体に成形されている請求項２に記載の観賞魚用水槽等の安全装置。
【発明の詳細な説明】
【０００１】
【発明の属する技術分野】
この発明は、観賞用水槽等において、ポンプやヒーター等の電装品へ接続される電源ラインの漏電検知やあるいは水位検知を行って、漏電や異常水位が検知された場合には電装品への給電を停止する観賞魚用水槽等の安全装置に関する。
【０００２】
【従来の技術及び解決しようとする課題】
例えば、金魚や熱帯魚等の観賞用水槽においては、冬季の水温低下防止用ヒーター、エアーポンプ、照明光源としての蛍光灯等のように、商用電源を利用した各種の電装品が用いられる場合が多い。
【０００３】
しかるに、ヒーター等のひび割れ、配線コードの経時劣化、エアーポンプや蛍光灯の水槽内落下、結露による蛍光灯と水槽内の水との導通等の事故により、漏電を生じる恐れがあった。
【０００４】
そこで、各種の漏電検知装置が提供されているが、従来の漏電検知装置は水槽内の漏電電流を検出する電流検出型が一般であり、従って安全性確保のためにアースが必要であった。
【０００５】
一方、水槽の割れ等に起因して水槽内水位が低下すると、ポンプのモーターが空回りして加熱する等の不都合を生じる。このため、水位を検知して水位が低下すると電源をＯＦＦにする水位検知装置が提供されている。
【０００６】
従来の上記のような水位検知装置は、フロートを利用した機械的スイッチや磁気スイッチ方式が一般的であった。
【０００７】
しかしながら、このような従来方式の水位検知装置では、地震等によりフロートが水槽外に飛び出したような場合、スイッチがＯＮ状態になるかＯＦＦ状態になるかは不明であり、ＯＮ状態になった場合には電装品がそのまま作動を持続することになるため、安全上問題であった。
【０００８】
この発明は、このような技術的背景に鑑みてなされたものであって、アースがなくても安全に漏電検知を行うことができ、あるいは水位センサー部分が水槽外へ飛び出したような場合にも確実に水位を検知でき、漏電及び／または水位異常を検知した場合には、電装品への給電を確実に遮断できる観賞魚用水槽等の安全装置の提供を目的とする。
【０００９】
【課題を解決するための手段】
上記目的を達成するために、この発明の１つは、図面の符号を参照して示すと、容器内の水中所定高さ位置に離間して配置される２個の検出端子（81）（82）からなるセンサー部（８）と、
該センサー部（８）の一方の検出端子（81）から交流電源の少なくとも一方の電源ライン（1a）（1b）に至る回路中にトランス（72）の一次コイル（72a ）が介挿されるとともに、該一次コイルの磁束変化に対応してトランスの二次コイル（72b ）に漏電検知信号としての電圧が誘起される漏電検知手段（７）と、
該漏電検知手段（７）から漏電検知信号が出力されたときに、電源から電装品への給電を遮断する回路遮断手段（５）とを備えていることを特徴とする観賞魚用水槽等の安全装置を要旨とするものである。
【００１０】
かかる構成の安全装置では、漏電が発生した場合、水槽内の水を介してセンサー部（８）の一方の検出端子（81）に例えば商用交流電源から１００Ｖの交流電圧が印加される。この印加電圧により、トランス（72）の一次コイル（72a ）に電流が流れようとして磁束変化を生じるが、この磁束変化に応じた電圧が二次コイル（72b ）に直ちに誘起され、この電圧が漏電検知信号となる。そして、この漏電検知信号が出力されると、回路遮断手段（５）によりヒーター等の電装品への給電が遮断される。
【００１１】
また、この発明の他の１つは、容器内の水中所定高さ位置に離間して配置される２個の検出端子（81）（82）からなるセンサー部（８）と、
基準信号発生手段（10）と、
該基準信号発生手段（10）から出力される基準信号が、前記センサー部（８）の一方の検出端子（82）から他方の検出端子（81）を巡って帰還したか否かを検知することにより両検出端子間が通電状態にあるか否かを検出し、両検出端子間が通電状態にないときに水の不存在信号を出力する水位検知手段（11）と、
該水位検知手段（11）から水不存在信号が出力されたときに、電源から電装品への給電を遮断する回路遮断手段（５）とを備えていることを特徴とする観賞魚用水槽等の安全装置を要旨とするものである。
【００１２】
かかる構成の安全装置では、水位が低下してセンサー部（８）の検出端子（81）（82）が水中外に出た場合、あるいは地震等によりセンサー部が水槽外に放り出されたような場合、検出端子（81）（82）間には水が存在しないから両検出端子間は非導通状態となる。このため、基準信号発生手段（10）から出力された基準信号は、前記センサー部（８）の一方の検出端子（82）から他方の検出端子（81）へと送られることなくそこで遮断されるから、水位検知手段（11）によって両検出端子間が非通電状態にあると判断され、水不存在検知信号が出力される。
そして、この水不存在検知信号が出力されると、回路遮断手段（５）によりヒーター等の電装品への給電が遮断される。
【００１３】
この発明のさらに他の１つは、容器内の水中所定高さ位置に離間して配置される２個の検出端子（81）（82）からなるセンサー部（８）と、
該センサー部（８）の一方の検出端子（81）から交流電源の少なくとも一方の電源ライン（1a）（1b）に至る回路中にトランス（72）の一次コイル（72a ）が介挿されるとともに、該一次コイルの磁束変化に対応してトランスの二次コイル（72b ）に漏電検知信号としての電圧が誘起される漏電検知手段（７）と、
基準信号発生手段（10）と、
該基準信号発生手段（10）から出力される基準信号が、前記センサー部（８）の一方の検出端子（82）から他方の検出端子（81）を巡って帰還したか否かを検知することにより両検出端子間が通電状態にあるか否かを検出し、両検出端子間が通電状態にないときに水の不存在信号を出力する水位検知手段（11）と、
前記漏電検知手段（７）または水位検知手段（11）から、漏電検知信号または水不存在信号が出力されたときに、電源から電装品への給電を遮断する回路遮断手段（５）とを備えていることを特徴とする観賞魚用水槽等の安全装置を要旨とするものである。
【００１４】
かかる構成の安全装置では、漏電検知信号あるいは水不存在検知信号の少なくともいずれかが出力された場合に、回路遮断手段（５）によりヒーター等の電装品への給電が遮断される。
【００１５】
上記の各発明においては、さらに、水温検出手段（110 ）と、検出した水温と設定水温とを比較する比較手段（150 ）と、水加熱手段（120 ）と、前記比較手段（150 ）による検出水温と設定水温との比較により、検出水温が設定水温よりも低い場合には前記水加熱手段（120 ）を駆動する制御手段（160 ）とからなる水温制御装置がさらに設けられているのが望ましい。この場合は、漏電検知及び／または水位検知による安全性確保と同時に、水温コントロールを行うことができるものとなる。また、この場合、水温検出手段（110 ）がセンサー部（８）と一体に成形されているのが、各種センサー部分を一つの構成体として提供でき、取扱性や見栄えが良くなる点で望ましい。
【００１６】
【発明の実施の形態】
次に、この発明の実施の形態を説明する。この実施の形態は、観賞魚用水槽に対する安全装置に適用したものである。
【００１７】
装置の構成を示す図１において、（1a）（1b）は２本の主電源ライン、（2a）（2b）は主電源ラインから分岐した２本の補助電源ラインであり、これらの主電源ライン及び補助電源ラインには、差込プラグ（31）を介して１００Ｖの交流商用電源が供給されるものとなされている。
【００１８】
（４）は主電源ライン（1a）（1b）及び補助電源ライン（2a）（2b）を保護する保護回路であり、主電源ライン及び補助電源ラインのそれぞれ２本のラインの一方に介挿されたヒューズ（41）（41）や電源ライン相互間に接続されたコンデンサ（42）等を備えている。また、保護回路（４）の出力側において、主電源ライン（1a）（1b）にはそれぞれ回路遮断手段としての電磁リレー（５）のリレー接点（51）（51）が常時閉の状態で接続されている。このリレー接点（51）は、駆動コイル（52）が駆動されると開状態に切り替わるものである。また、リレー接点（51）（51）の出力側において、主電源ライン（1a）（1b）には出力端子（32）が接続されており、この出力端子（32）は差込ソケット（35）内に配置され、この差込ソケット（35）にヒーター等の電気機器の差込プラグが差し込まれることにより、電気機器が主電源ライン（1a）（1b）に接続されるものとなされている。なお、図１に示す（180 ）は主電源ライン（1a）に介在された後述する水温制御装置におけるスイッチング素子である。
【００１９】
前記補助電源ライン（2a）（2b）には直流電源回路（６）が接続されている。
この直流電源回路（６）は公知の交流・直流変換回路からなり、１００Ｖの交流電源を、Ｖ1 （２４Ｖ）とＶ2 （４８Ｖ）の２つの直流電源に変換するものである。
【００２０】
なお、補助電源ライン（2a）（2b）には逆阻止ダイオード（33）が介挿されるとともに、電源投入によって発光し電源ＯＮ状態を知らせる発光ダイオード（34）が接続されている。
【００２１】
前記保護回路（４）の出力側には、漏電検知回路（７）が接続されている。この漏電検知回路（７）は、主電源ライン（1a）（1b）間に接続された同一の高抵抗値を有する２個の直列抵抗素子（71）（71）と、これら直列抵抗素子の接続点に一次コイル（72a ）の一端が接続されたトランス（72）と、一次コイル（72a ）の他端に接続された高抵抗値の電流制限用抵抗素子（73）と、該抵抗素子（73）の他端にカソードが接続されたダイオード（74）と、該ダイオードのアノードに接続されたツェナーダイオード（75）によって構成されている。そして、ツェナーダイオード（75）のカソード側に、センサー部（８）における第１検出端子（81）が接続されている。また、前記トランス（72）の二次コイル（72b ）の一端は接地されるとともに、二次コイル（72b ）の他端はバッファ回路（９）に接続されている。また、二次コイル（72b ）と並列にバイパス抵抗素子（76）が介挿されている。
【００２２】
上記構成の漏電検知回路（７）では、漏電が生じた場合、水を介して交流１００Ｖの電圧がセンサー部（８）の一次検出端子（81）に加わり、トランス（72）の一次コイル（72a ）に電流が流れようとして磁束変化を生じるが、この磁束変化に応じた電圧が二次コイル（72b ）に直ちに誘起され、この電圧が漏電検知信号として出力されるものとなされている。従って、漏電検知回路（７）にほとんど漏電電流が流れないことになる。
【００２３】
（10）は所定周波数のパルスを出力する基準信号発生手段としての発振回路であり、この実施形態では２４Ｖの直流電源によって駆動されるものとなされている。
【００２４】
（11）は周波数比較回路であり、２個の入力端子（11a ）（11b ）に入力される信号の周波数を比較して、周波数が異なるときに出力を生じるものである。この周波数比較回路（11）の一方の入力端子（11a ）には、前記発振回路（10）の出力端子が接続されるとともに、さらにセンサー部（８）における第２検出端子（82）が接続されている。従って、発振回路（10）から出力されたパルス信号は、周波数比較回路（11）の一方の入力端子（11a ）に入力されるとともに、センサー部（８）の第２端子（82）にも送られるものとなされている。一方、周波数比較回路（11）の他方の入力端子（11b ）はセンサー部（８）の第１検出端子（81）に接続されている。
【００２５】
前記センサー部（８）は、前述のとおり、第１、第２の検出端子（81）（82）を備えている。そして、図２に示されるように、これら第１、第２の検出端子（81）（82）が露出した状態でかつ近接位置で平行した状態で、絶縁材からなる支持部材（13）に支持されている。なお、図２において、（14）はセンサー部（８）を水槽内壁に固定するための吸盤、（36）は装置を収容するケースであり、前記プラグ（31）はケース（36）から配線コードを介して引き出されるとともに、ケースの側壁にヒーター等の電装品を接続するための前記差込ソケット（35）が設けられている。
【００２６】
かかるセンサー部（８）は、使用に際しては図３に示されるように、第１、第２の検出端子（81）（82）の先端部が水中の所定高さに位置するように、支持部材（13）に取付けられた吸盤（14）により、水槽（15）の内側壁に吸着保持されるものとなされている。而して、センサー部（８）の第１、第２検出端子（81）（82）が水中に存在しているときは、両検出端子（81）（82）間は電気的導通状態にあるから、発振回路（10）の出力信号は周波数比較回路（11）の一方の入力端子（11a ）に入力されるとともに、センサー部の第２検出端子（82）から第１検出端子（81）へも送られ、さらに周波数比較回路（11）の他方の入力端子（11b ）に入力されるものとなされている。従って、この場合は、周波数比較回路（11）の２つの入力端子（11a ）（11b ）に同一周波数の信号が入力されることになるから、周波数比較回路（11）から出力は生じない。一方、センサー部（８）の第１、第２検出端子（81）（82）が大気中に存在しているときは、両検出端子（81）（82）間は電気的に非導通状態にあるから、センサー部（８）の第２検出端子（82）に送られた発振回路（10）の出力信号は、第１検出端子（81）への送出が阻止され、従って周波数比較回路（11）の他方の入力端子（11b ）には基準信号は入力されないこととなる。この場合、周波数比較回路（11）の２つの入力端子（11a ）（11b ）に入力される信号は周波数が異なるから、周波数比較回路（11）から水不存在信号が出力されるものとなされている。なお、前記漏電検知回路（７）のツェナーダイオード（75）は、センサー部（８）の第２検出端子（82）から第１検出端子（81）を介して周波数比較回路（11）へと帰還する発振回路（10）の基準信号が漏電検知回路（７）に流れ込むのを阻止する一方で、漏電発生時には１００Ｖの電圧の漏電検知回路（７）への印加を許容するべく、そのツェナー電圧が発振回路（10）の出力信号電圧よりも高く、かつ１００Ｖよりも低い値に設定されている。
【００２７】
なお、前記センサー部（８）の第１、第２検出端子（81）（82）は、水中での電気分解防止のために相互に異質な導電材料によって構成されている。
【００２８】
前記バッファ回路（９）は、前記漏電検知回路（７）におけるトランス（72）の二次コイル（72b ）から出力された漏電検知信号をインピーダンス変換するものである。そして、このインピーダンス変換された漏電検知信号及び前記周波数比較回路（11）から出力された水不存在信号が、それぞれダイオード（16）（17）を介して、電磁リレー（５）を駆動するための駆動信号発生回路（18）に入力されるものとなされている。
【００２９】
前記駆動信号発生回路（18）は、漏電検知信号または水不存在信号の少なくともいずれか一方が入力されると駆動信号を出力し、トランジスタ等からなる駆動回路（19）を駆動する役割を果たす。
【００３０】
前記駆動回路（19）には、主電源ライン（1a）（1b）のそれぞれに介在された電磁リレー（５）（５）の駆動コイル（52）（52）が接続されるとともに、ブザー等の警報装置（20）が接続されており、駆動回路（19）の駆動によってこれらコイル（52）や警報装置（20）が作動するものとなされている。
【００３１】
さらに、図示実施形態に係る安全装置には、水温をコントロールするための水温制御装置が組み込まれている。この水温制御装置は、センサー部（８）を支持する支持部材（13）内に一体にモールドされた水温検出手段としてのサーミスタ（110 ）と、水槽内に配置された電装品である水加熱手段としてのヒーター（120 ）を備えている。
【００３２】
図４は、かかる水温制御装置の電気的構成を示すブロック図である。同図において、（110 ）は前記サーミスタ、（130 ）はサーミスタからの出力を増幅等する水温検出回路、（140 ）は水温設定器であり、この実施形態では水温を１５〜３５℃程度の範囲で可変設定できるものとなされている。（150 ）は、水温設定器（140 ）による設定水温と水温検出回路（130 ）からの検出水温とを比較する比較器、（160 ）は前記比較器（150 ）による比較結果に基づいてヒーターを駆動制御する制御回路である。この実施形態では、ヒーター（120 ）を駆動するスイッチング素子（180 ）としてトライアックが用いられるとともに、該スイッチング素子（180 ）のゲートを開閉するためのゲートドライバー（170 ）が用いられている。そして、前記制御回路（160 ）は、比較器（150 ）の比較結果に基いて、検出水温が設定水温よりも低い場合にはゲートドライバー（170 ）を介してスイッチング素子（180 ）をＯＮとし、ヒーター（120 ）を作動させる一方、検出水温が設定温度よりも高くなるとスイッチング素子（180 ）をＯＦＦとし、ヒーター（120 ）を停止させるように制御するものとなされている。なお、図４において（190 ）はゼロボルト検出回路であり、商用交流電源（200 ）のゼロボルトを検出し、ヒーター（120 ）の動作に際して必ずゼロボルトでスイッチング素子（180 ）がＯＮに立上がるようにして（いわゆるゼロクロッシング）、ノイズの発生を防止するためのものである。
【００３３】
次に、図示実施形態に係る安全装置の動作を説明する。
【００３４】
まず、図３に示すように、センサー部（８）の検出端子（81）（82）の先端部が検出すべき水位に位置するように、吸盤（14）を水槽（15）の側壁内面に吸着保持せしめる。また、水槽用ヒーター（120 ）等の電装品の差込みプラグをケース（36）の差込みソケット（35）に差込んで接続する。
【００３５】
この状態で、装置の差込プラグ（31）をコンセントに差し込むと、発光ダイオード（34）が点灯し、電源投入状態を知らせるとともに、主電源ライン（1a）（1b）及び出力端子（32）を介して電装品に交流１００Ｖの商用電源が供給され、電装品は動作する。また、補助電源ライン（2a）（2b）に接続された直流電源回路（６）によりＶ1 （２４Ｖ）とＶ2 （４８Ｖ）の直流電源が形成されるとともに、直流電源Ｖ1 の供給を受けて発振回路（10）は所定周波数のパルスを出力する。
【００３６】
次に、何らかの原因で漏電を生じた場合、水槽内の水を介してセンサー部（８）の第１検出端子（81）に１００Ｖの電圧が印加される。この印加電圧により、トランス（72）の一次コイル（72a ）に電流が流れようとして磁束変化を生じるが、この磁束変化に応じた電圧が二次コイル（72b ）に直ちに誘起され、この電圧が漏電検知信号としてバッファ回路（９）に入力され、スンピーダンス変換されて出力される。この信号により、駆動信号発生回路（18）から駆動信号が出力され、駆動回路（19）が駆動される。その結果、電磁リレー（５）の駆動コイル（52）が作動してリレー接点（51）が開状態となり、主電源ライン（1a）（1b）が遮断され機器は作動を停止する。かつまた、駆動回路（19）の駆動と同時に警報装置（20）が作動して、漏電状態を報知する。
【００３７】
一方、正常状態において、発振回路（10）の出力パルスは周波数比較回路（11）の一方の入力端子（11a ）に入力されるとともに、センサー部（８）の第２検出端子（82）に送られる。センサー部（８）の第１、第２検出端子（81）（82）の先端は水中に没入しており、第１、第２検出端子は導通状態にあるから、第２検出端子（82）に送られた信号は、水槽内の水を介して第１検出端子（81）へと送られ、周波数比較回路（11）の他方の入力端子（11b ）に入力される。
【００３８】
周波数比較回路（11）は、２つの入力端子（11a ）（11b ）に入力されてきた信号の周波数を比較するが、ともに発振回路（11）の出力周波数と同じであるから、周波数比較回路（11）からは出力信号つまり水不存在信号を生じない。
【００３９】
次に、センサー部（８）の第１、第２検出端子（81）（82）の位置を下回って水位が低下し、第１、第２検出端子が水中外に出た場合、あるいは地震等によりセンサー部が水槽外に放り出されたような場合、第１、第２検出端子（81）（82）間には水が存在しないから両検出端子間は非導通状態となる。このため、発振回路（11）からセンサー部（８）の第２検出端子（82）、第１検出端子（81）を通って周波数比較回路（11）の他方の入力端子（11b ）に至るループが開くため、該入力端子への帰還信号は消滅する。一方、発振回路（11）の基準パルスはそのまま周波数比較回路（11）の一方の端子（11a ）に入力されるから、これら基準信号と比較信号の周波数が異なることが周波数比較回路（11）によって判断され、周波数比較回路（11）から水不存在検知信号が出力される。
【００４０】
この水不存在検知信号は駆動信号発生回路（18）に入力され、これを受領した駆動信号発生回路（18）から駆動信号が出力され、駆動回路（19）が駆動される。これにより、リレー（５）の駆動コイル（52）に電流が流れ主電源ライン（1a）（1b）のリレー接点（51）が開放されて主電源ラインが遮断され、電装品は作動を停止する。かつまた、駆動回路（19）の駆動と同時に警報装置（20）が作動して、水位低下を報知する。
【００４１】
こうして、漏電検知信号または水不存在検知信号の少なくとも一方が出力されたときに、電装品への電力供給が遮断されるとともに、これが報知される。
【００４２】
なお、装置を初期状態に戻すには、リセット回路（21）を作動せしめて、駆動信号発生回路（18）からの駆動信号の出力を停止させれば良い。
【００４３】
また、定常状態においては、センサー部（８）と一体にモールドされたサーミスタ（110 ）により水槽内の水温が検出され、これが図４に示すように、水温設定器（140 ）で予め設定された水温と比較される。そして、検出水温が設定温度よりも低い場合には、制御回路（160 ）はゲートドライバー（170 ）を介してスイッチング素子（180 ）をＯＮとし、ヒーター（120 ）を作動させて水温を上昇させる。一方、検出水温が設定温度よりも高くなるとスイッチング素子（180 ）をＯＦＦとし、ヒーター（120 ）を停止させる。このような動作により水温は設定温度に維持される。
【００４４】
なお、以上の実施形態では、基準信号発生手段として発振回路（10）を設け、該発振回路（10）からの基準パルス信号と、該パルス信号がセンサー部（８）の一方の検出端子（82）から他方の検出端子（81）を巡って帰還してきたときの信号の周波数を比較することにより、両検出端子（81）（82）間に水が存在しているか否かを検出するものとしたが、水位検知手段はかかる構成に限定されるものではなく、要は基準信号がセンサー部（８）の一方の検出端子から他方の検出端子を巡って帰還したか否かを検知しうる構成であれば良い。
【００４５】
また、漏電検知手段と水位検知手段のいずれをも備えたものとして説明したが、いずれか一方のみ備えたものであっても良い。また、水温制御装置を備えることも任意である。
【００４６】
【発明の効果】
請求項１に係る発明によれば、漏電が検知された場合には、電装品への給電が遮断されるから、観賞魚用水槽等の安全性を増大することができる。しかも、漏電検知を交流電源を利用したトランスによる電圧検知により行うから、漏電電流がほとんど流れることがなく、益々安全性の高い装置となしうる。
【００４７】
請求項２に係る発明によれば、水の不存在が検知された場合に電装品への給電が遮断されるから、観賞魚用水槽等の安全性を増大することができるとともに、水位検知はフロート等を用いた機械式手段によって行うのではなく、電気的にこれを検出するものであるから、センサー部分が水槽内から飛び出したような場合にも水の不存在を確実に検出でき、ひいては電装品への給電を確実に遮断でき、益々安全性に優れた装置となし得る。
【００４８】
また、請求項３に記載の発明によれば、上記の効果に加えて、センサー部の２本の検出端子によって漏電及び水位の検知を行うものであるから、漏電検知装置と水位検知装置のセンサー部分を共用化することができ、従って漏電検知装置と水位検知装置とを一体的なものとして構成することができる。このため、装置全体の構成を簡素化できるとともに、小型にでき、管理、取扱にも極めて便利なものとなし得る。
【００４９】
また、請求項４に記載の発明によれば、漏電検知及び／または水位検知による安全性の確保とともに、水温コントロール機能をも付加した商品価値の高い装置の提供が可能となる。
【００５０】
また、請求項５に記載の発明によれば、水温検出手段と漏電検知及び／または水位検知のためのセンサー部とが一体品として成形されているから、この一体構成品を水中内に浸漬することにより、水温検出手段、漏電検知、水位検知を同時に行うことができ、使用時の取扱を簡素化できるとともに見栄えも良くなり、外観品質に優れた高機能な装置となし得る。
【図面の簡単な説明】
【図１】この発明の一実施形態を示す回路図である。
【図２】図１の装置の全体の外観を示す斜視図である。
【図３】図１の装置を水槽に取付けた状態の斜視図である。
【図４】水温制御装置の電気的構成を示すブロック図である。
【符号の説明】
1a、1b…電源ライン
５…電磁リレー（回路遮断手段）
７…漏電検知回路（漏電検知手段）
72…トランス
72a …一次コイル
72b …二次コイル
８…センサー部
81、82…検出端子
10…発振回路（基準信号発生手段）
11…周波数比較回路（水位検知手段）
110 …サーミスタ（水温検出手段）
120 …ヒーター（水加熱手段）
140 …水温設定器（水温設定手段）
150 …比較器（比較手段）
160 …制御手段
【図１】
0003699173.tif 000002
【図２】
0003699173.tif 000003
【図３】
0003699173.tif 000004
【図４】
0003699173.tif 000005